(57)【要約】【課題】  本発明は初期に設定されている再生モード以外の再生モードを設定して保存する方案を提供する。【解決手段】  初期に設定されている再生モードがユーザの聴き好みと一致しない場合、ユーザは自分の聴き好みと一致するように再生モードを設定する。このため、オーディオファイルデータを再生している初期再生モードと異なる変更再生モードの設定が指示されれば前記指示後に受信した変更再生情報を保存する。ユーザは初期再生モードまたは変更再生モードのうち一つの再生モードでオーディオファイルデータを再生する。【選択図】      図３
2006024353.tif 000002
【特許請求の範囲】
【請求項１】
オーディオファイルデータを再生している初期再生モードと異なる変更再生モードの設定が指示される段階と、
前記指示後に受信した変更再生情報を保存する段階と、
指示された再生モードでオーディオファイルデータを再生する段階とから構成されることを特徴とするオーディオファイル再生方法。
【請求項２】
前記再生情報は、
ボリューム、ジャンル、イコライズを含むことを特徴とする請求項１に記載のオーディオファイル再生方法。
【請求項３】
前記再生情報はＩＤ３の一部領域に保存することを特徴とする請求項２に記載のオーディオファイル再生方法。
【請求項４】
オーディオファイルは再生情報とオーディオファイルデータとに区分され、前記再生情報は前記オーディオファイルデータの前段または後段に構成していることを特徴とする請求項１に記載の前記オーディオファイル再生方法。
【請求項５】
前記指示された変更再生モードが保存されていなければ、前記初期再生モードで前記オーディオファイルデータを再生することを特徴とする請求項１に記載のオーディオファイル再生方法。
【請求項６】
オーディオファイルデータを再生している初期再生モードを構成している再生情報と異なる変更再生情報を伝達する入力部と、
前記入力部から伝達された変更再生情報の保存を指示する制御部と、
前記変更再生情報で構成された変更再生モードを保存する貯蔵部と、
前記制御部の制御命令に従って保存されている再生情報のうち一つの再生情報で前記オーディオファイルデータを復号化する復号化部とから構成されることを特徴とするオーディオ再生装置。
【請求項７】
前記再生情報は、
ボリューム、ジャンル、イコライズを含むことを特徴とする請求項６に記載のオーディオ再生装置。
【請求項８】
前記制御部から伝達された変更再生情報を符号化して前記貯蔵部に伝達する符号化部を付加することを特徴とする請求項６に記載のオーディオ再生装置。
【請求項９】
前記入力部から入力された情報またはオーディオファイル再生装置の状態を表示する表示部をさらに付加することを特徴とする請求項８に記載のオーディオ再生装置。
【請求項１０】
前記貯蔵部は、
前記再生情報は前記オーディオファイルデータの前段または後段に保存することを特徴とする請求項６に記載のオーディオ再生装置。
【請求項１１】
前記制御部は、
前記指示された変更再生モードが保存されていなければ、前記初期再生モードで前記オーディオファイルデータを復号化するように指示することを特徴とする請求項６に記載のオーディオ再生装置。
【発明の詳細な説明】
【技術分野】
【０００１】
本発明はデジタルオーディオファイルを再生する方法に係り、さらに詳しくはユーザの好みに応じて前記デジタルオーディオファイルの再生モードを相違に設定する方法に関する。
【背景技術】
【０００２】
デジタル技術の発展に伴って、デジタルオーディオ機器の性能も発展しつつある。前記デジタルオーディオ機器はオーディオファイルを再生したり、ユーザの音声などをオーディオファイルに変換して貯蔵する機能を行う。一般に人々は多様な聴き好みを有している。前記デジタルオーディオ機器はこのような人々の聴き好みのために多様な再生モードを有している。
【０００３】
図１はデジタルオーディオ機器においてオーディオファイルを再生する過程を示した図である。
【０００４】
Ｓ１００段階において前記デジタルオーディオ機器は初期再生モードでオーディオファイルを再生する。前記初期再生モードは前記デジタルファイルの再生のために初期に設定したモードを意味する。前記オーディオファイルの再生は前記デジタルオーディオ機器に付着されているキーボタンを操作したり、前記デジタルオーディオ機器の動作を制御するリモコンを用いて指示する。
【０００５】
Ｓ１０２段階において前記デジタルオーディオ機器は再生モードの変更が要請されるのかを判断する。前記デジタルオーディオ機器のユーザは自分の聴き好みに似合う再生モードで前記オーディオファイルを再生しようとする。従って、現在の再生モードが自分の聴き好みと一致しない場合、前記初期再生モードの変更を要請する。前記判断結果再生モード変更が要請されればＳ１０４段階に移動し、前記再生モード変更が要請されなければＳ１０８段階に移動して終了する。
【０００６】
Ｓ１０４段階において前記デジタルオーディオ機器は再生モードを変更する。Ｓ１０６段階においてデジタルオーディオ機器は変更再生モードで前記オーディオファイルを再生する。前述した過程を行うことによりユーザは一つのオーディオファイルが再生することを聞くことができる。
【０００７】
特に、デジタルオーディオ機器の貯蔵部に保存されたオーディオファイルが相異なる初期再生モードに設定されていると仮定する。前述したようにユーザは一つの聴き好みを有している。従って、ユーザが一つの再生モードで前記オーディオファイルを再生しようとすれば、全てのオーディオファイルについて図１のような過程を繰り返して行わなければならない。
【発明の開示】
【発明が解決しようとする課題】
【０００８】
本発明は前述した問題点を解決するために案出されたもので、その目的は貯蔵部に保存されているオーディオファイルをユーザの聴き好みに応じて再生する装置及び方法を提案するところにある。
【０００９】
本発明の他の目的は、貯蔵部に保存されているオーディオファイルを再生する場合不要なキー操作回数を減らせる装置及び方法を提供するところにある。
【００１０】
本発明のさらに他の目的は、キー操作回数を減らすことにより前記オーディオファイルを再生するためにかかる時間を短縮できる装置及び方法を提供するところにある。
【課題を解決するための手段】
【００１１】
前述した本発明の目的を達成するため、オーディオファイルデータを再生している初期再生モードと異なる変更再生モードの設定が指示される段階と、前記指示後に受信した変更再生情報を保存する段階、及び指示された再生モードでオーディオファイルデータを再生する段階とから構成されることを特徴とするオーディオファイル再生方法を提案する。
【００１２】
望ましくは、前記再生情報はボリューム、ジャンル、イコライズを含み、ＩＤ３の一部領域に保存する。
【００１３】
望ましくは、オーディオファイルは再生情報とオーディオファイルデータとに区分され、前記再生情報は前記オーディオファイルデータの前段または後段に構成される。
【００１４】
望ましくは、前記指示された変更再生モードが貯蔵されていなければ、前記初期再生モードで前記オーディオファイルデータを再生する。
【００１５】
前記本発明の目的を達成するため、オーディオファイルデータを再生している初期再生モードを構成している再生情報と異なる変更再生情報を伝達する入力部と、該入力部から伝達された変更再生情報の保存を指示する制御部と、前記変更再生情報とから構成された変更再生モードを貯蔵する貯蔵部、及び前記制御部の制御命令に従って保存されている再生情報のうち一つの再生情報で前記オーディオファイルデータを復号化する復号化とから構成されることを特徴とするオーディオ装置を提案する。
【００１６】
望ましくは、前記オーディオ装置は前記制御部から伝達された変更再生情報を符号化して前記貯蔵部に伝達する符号化部と前記入力部から入力された情報またはオーディオファイル再生装置の状態を表示する表示部を付加する。
【発明の効果】
【００１７】
本発明は一つの貯蔵媒体に保存されているオーディオファイルの再生モードをユーザが任意に設定して保存する。従って、ユーザは前記オーディオファイルを再生する場合に保存された再生モードを用いることにより不要なキー操作回数を減らせる。また、一つの変更再生情報を前記貯蔵部に保存されている全てのオーディオファイルに適用することにより不要なキー操作回数を減らせる。
【発明を実施するための最良の形態】
【００１８】
以下、添付の図面に基づいて本発明の好適な実施形態を詳述する。
【実施例１】
【００１９】
本発明はユーザの指示に従って初期再生モード以外に変更再生モードを前記オーディオファイルの一部領域に保存する方案を提案する。前記変更再生モードは前記オーディオファイルに設定されている初期再生モード以外のユーザが設定した再生モードを指す。
【００２０】
図２は本発明に係るオーディオファイルデータを再生するための変更再生モードの情報を符号化する過程を示した図である。以下、図２を用いて本発明に係る変更再生モードの情報を符号化する過程について詳述する。
【００２１】
Ｓ２００段階において前記デジタルオーディオ機器は初期再生モードでオーディオファイルを再生する。前記オーディオファイルの再生は前記デジタルオーディオ機器に付着されているキーボタンを操作したり、前記デジタルオーディオ機器の動作を制御するリモコンを用いる。
【００２２】
Ｓ２０２段階において前記デジタルオーディオ機器は再生モードの変更が要請されるか否かを判断する。前記デジタルオーディオ機器のユーザは自分の聴き好みに似合う再生モードで前記オーディオファイルのデータを再生する。従って、初期再生モードが自分の聴き好みと一致しない場合、前記再生モードの変更を要請する。前記判断結果再生モードの変更が要請されればＳ２０４に移動し、前記再生モードの変更が要請されなければＳ２１０段階に移動して終了する。
【００２３】
Ｓ２０４段階において前記デジタルオーディオ機器は再生モードを指定する。ユーザにより指定した再生モードを変更再生モードと称する。ユーザが指定できる再生モードを構成している要素については後述する。Ｓ２０６段階においてデジタルオーディオ機器は変更再生モードに関する情報を保存する。Ｓ２０８段階において前記デジタルオーディオ機器は変更再生モードで前記オーディオファイルのデータを再生し続ける。
【００２４】
以下、ユーザが指定できる再生モードを構成している要素について説明する。前記デジタルオーディオ機器の再生モードを構成している要素はボリューム、ジャンル、イコライズなどがある。前記ボリュームは再生されるオーディオファイルの音サイズを意味し、前記ジャンルは前記オーディオファイルがクラシック、ロック、ジャズのいずれに属するかを示す。また、前記イコライズは特定帯域に音程や雑音が集中されている場合これを補正および除去して音質を再生する。ユーザは前述した要素以外に別の要素を変更することができることは自明である。
【００２５】
以下、ユーザにより再生モードを構成している各要素を変更する過程について説明する。ユーザは前記初期再生モードで設定しているボリュームの変更を指示することができる。すなわち、初期再生モードに設定されているボリュームが小さすぎると、ユーザはボリューム変更を指示する。前記初期再生モードがジャズ風に設定されているオーディオファイルをユーザはクラシック風に聞きたい場合がある。このように本発明はユーザは保存されているオーディオファイルのジャンルを自分の好みに似合うジャンルへの変更を指示する。
【００２６】
図３は本発明に係る貯蔵部に保存されるオーディオファイル３００を示している。図３によれば、オーディオファイル３００は再生情報３０２と
オーディオファイルデータ３０４とに区分される。前記再生情報３０２は初期再生情報と変更再生情報とから構成される。以下、前記変更再生情報を中心に説明する。
【００２７】
前記変更再生情報を前記貯蔵部に保存する方策は色々ありうる。以下、ＩＤ３ｖ２を用いて前記変更再生情報を保存する方策について説明する。前記ＩＤ３ｖ２は任意に使用できるフレーム識別子がある。前記フレーム識別子は‘Ｘ'、‘Ｙ'、‘Ｚ'である。従って、ユーザは前記‘Ｘ'、’Ｙ'、‘Ｚ'のうち一つを使用して変更再生情報を符号化して保存する。
【００２８】
以下、ボリュームを用いて説明すれば、ユーザが設定できるボリュームが０ないし１００％と仮定する。ユーザが設定しようとするボリュームが５０％ならば、これを(HEX)コードで示せば次の通りである。
【００２９】
‘5A  56  4F  4C  00  00  00  04  00  00  00  00  00  32'
前記HEXコードは１４バイトで構成され、全部で四つの部分に分かれる。前記１４バイトは４バイトで構成されたタグ、４バイトで構成された情報のサイズ、２バイトで構成されたフラグ、４バイトで構成された情報とから構成される。
【００３０】
前記‘5A  56  4F  4C'はＺＶＯＬ(Ｚ:ユーザが任意に使用できるフレーム識別子、ＶＯＬ:ボリューム)、‘00  00  00  04'は情報のサイズが４バイトであることを意味する。前記‘００  ００'はフラグが設定されていないことを意味し、前記‘00  00  00  32'は情報(ボリューム)が５０であることを意味する。前述したように情報は４バイトで構成されていることが分かる。ユーザが設定した変更再生情報はHEXコードに変換された後、前記貯蔵部に保存される。
【００３１】
図３は前記変更再生情報をオーディオファイルデータの前段に保存していると言えども、ユーザの設定により前記変更再生情報を前記オーディオファイルデータの後段に保存することができる。また、ユーザはHEXコードではなく別のコードを用いて前記変更再生情報を保存することができる。
【００３２】
図４は本発明に係る貯蔵部に保存されているオーディオファイルデータを復号する過程を示した図である。以下、図４を用いて本発明に係る貯蔵部に保存されているオーディオファイルデータを復号する過程について詳述する。
【００３３】
Ｓ４００段階において前記デジタルオーディオ機器は保存されているオーディオファイルデータの再生を指示される。ユーザは前記デジタルオーディオ機器に付着されているキーボタンを用いたり、前記リモコンを用いて前記オーディオファイルデータの再生を指示する。
【００３４】
Ｓ４０２段階において前記デジタルオーディオ機器は少なくとも二つの再生モードのうち一つを選択する。前記再生モード選択も前記キーボタンまたはリモコンを用いて伝達される。本発明と関連して前記デジタルオーディオ機器から選択可能な再生モードは初期再生モードと変更再生モードがある。前記デジタルオーディオ機器が変更再生モードを選択すればＳ４０４段階に移動し、前記デジタルオーディオ機器が初期再生モードを選択すればＳ４０８段階に移動する。
【００３５】
Ｓ４０４段階において前記デジタルオーディオ機器は変更再生情報があるか否かを判断する。すなわち、前記変更再生情報がないにもかかわらず、ユーザは変更再生モードを選択することができるからである。すなわち、前記変更再生情報がなければ、前記変更再生モードで前記オーディオファイルは再生することができない。従って、Ｓ４０４段階において前記貯蔵部に変更再生情報が保存されているかを確認するようになる。前記変更再生情報がなければ、前記デジタルオーディオ機器はＳ４０８段階に移動する。前記変更再生情報があれば、前記デジタルオーディオ機器はＳ４０６段階に移動する。
【００３６】
Ｓ４０６段階において前記デジタルオーディオ機器は図３において示されているように、変更再生情報を用いてオーディオファイルデータを再生した後Ｓ４１０段階で終了する。Ｓ４０８段階において前記デジタルオーディオ機器は初期再生情報を用いてオーディオファイルデータを再生した後Ｓ４１０段階で終了する。
【００３７】
図３は変更再生情報、初期再生情報を用いて該当オーディオファイルデータを再生する場合についてだけ示している。しかし、前記該当オーディオファイルデータの再生中ユーザは図２に示されているように再生するオーディオファイルデータの再生モードを再変更することができることは自明である。
【００３８】
図２ないし図４は各オーディオファイル毎に前記過程を行うことと記載している。しかし、ユーザの設定により一つの変更再生情報を前記貯蔵部に保存されている全てのオーディオファイルに適用することができる。
【００３９】
また、図２ないし図４は一つのオーディオファイルについて一つの変更再生モードを設定する方法についてだけ示しているが、ユーザの設定により少なくとも二つの変更再生モードを設定することができる。
【００４０】
図５は本発明に係るデジタルオーディオ機器の構造を示している。前記デジタルオーディオ機器は制御部５００、入力部５０２、表示部５０４、符号化部５０６、貯蔵部５０８、復号化部５１０．デジタル/アナログ変換部(DAC)５１２、スピーカ５１４とから構成される。以下、図５を用いて本発明に係るデジタルオーディオ機器の構造について詳述する。
【００４１】
入力部５０２はキーボタンやリモコンで構成され、ユーザから必要な情報を伝達される。本発明と関連して、前記情報は再生指示情報、再生モード変更指示情報、変更再生情報などが含まれる。前記再生指示情報は前記貯蔵部に保存されているオーディオファイルデータの再生を指示する情報である。前記再生モード変更指示情報は再生モードの変更を指示する情報である。
【００４２】
表示部５０４は入力部５０２から伝達された情報を表示する。表示部５０４は前記デジタルオーディオ機器の状態を表示する。
【００４３】
符号化部５０６は入力部５０２から伝達された変更再生情報を前記制御部５００の制御命令に従って符号化する。符号化部５０６は制御部５００の制御命令に従って必要な情報を符号化する。
【００４４】
貯蔵部５０８は符号化部５０６で符号化した情報を伝達され保存する。貯蔵部５０８に保存される情報はオーディオファイルデータ、初期再生情報、変更再生情報、それから前記デジタルオーディオ機器を駆動する必要な情報が保存される。
【００４５】
復号化部５１０は前記制御部５００の制御命令に従って貯蔵部５０８に保存されているオーディオファイルデータを復号化する。前記オーディオファイルデータは初期再生情報または変更再生情報を用いて復号化する。
【００４６】
ＤＡＣ５１２は復号化部５１０で復号化したデジタルデータをアナログデータに変換する。前記アナログデータはスピーカ５１４に伝達される。スピーカ５１４は伝達されたアナログデータを出力する。
【図面の簡単な説明】
【００４７】
【図１】オーディオファイルデータを再生する一般の過程を示す図である。
【図２】本発明に係るオーディオファイルデータの再生情報を符号化する過程を示す図である。
【図３】本発明に係るオーディオファイルの構造を示した図である。
【図４】本発明に係る設定された再生情報でオーディオファイルデータを復号化する過程を示す図である。
【図５】本発明に係るデジタルオーディオ機器の構造を示した図である。
【符号の説明】
【００４８】
３００  オーディオファイル
３０２  再生モード情報
３０４  オーディオファイルデータ
５００  制御部
５０２  入力部
５０４  表示部
５０６  符号化部
５０８  貯蔵部
５１０  復号化部
５１２  ＤＡＣ
５１４  スピーカ
【図１】
2006024353.tif 000003
【図２】
2006024353.tif 000004
【図３】
2006024353.tif 000005
【図４】
2006024353.tif 000006
【図５】
2006024353.tif 000007